(57)【要約】【課題】個々の移動体端末が個別に必要とするコンテンツだけを的確に情報伝達できるようにする。【解決手段】編集配信局３００は、複数のコンテンツサーバ１００から様々な種類のデジタルコンテンツの供給を受け、各コンテンツの種類別にデータベース３０２へ蓄積すると共に、基地局編成表に基づいて各ＤＳＲＣ基地局４００ごとに地域特性に応じたコンテンツを配信する。各ＤＳＲＣ基地局４００は道路の路側に設置されるので、その地域に対応したコンテンツがＤＳＲＣ基地局４００のデータベース４０２、４０５、４０８に夫々蓄積される。ＤＳＲＣ基地局４０１の通信可能区域内へ移動体５０１が侵入すると、通信用アンテナ４０３と５０４との間で自動的にＤＳＲＣ通信が開始され、ＤＳＲＣ基地局４０１のデータベース４０２に蓄積されたコンテンツは、移動体５０１が受信してデータベース５０３へ一旦蓄積される。【選択図】  図１
2006318149.tif 000002
【特許請求の範囲】
【請求項１】
複数のデジタルコンテンツ供給手段と、
該デジタルコンテンツ供給手段から通信ネットワークを介して供給される多数のデジタルコンテンツを収集し蓄積する蓄積手段を有し、デジタルコンテンツを編成して配信する編成配信局と、
該編成配信局と通信ネットワークを介して接続され、該編成配信局で編成して配信されるデジタルコンテンツを蓄積する蓄積手段を有し、複数設置されたＤＳＲＣ基地局と、
位置情報取得手段を有し、該ＤＳＲＣ基地局と通信するＤＳＲＣ手段を有し、受信したデジタルコンテンツを蓄積する蓄積手段と該デジタルコンテンツを再生表示する再生表示手段とを搭載した移動体とからなり、
前記ＤＳＲＣ基地局へのコンテンツ配信は、該ＤＳＲＣ基地局が設置された地域の属性に応じて夫々のＤＳＲＣ基地局ごとに別々に配信するとともに、前記移動体へのコンテンツ配信は、該移動体または搭乗者のいずれかまたはこれらの組合せの属性に応じたコンテンツ配信条件で配信することを特徴としたコンテンツ配信装置。
【請求項２】
移動体は、再生表示手段により再生表示したコンテンツの表示画面から選択情報を入力する入力手段を有し、前記移動体のコンテンツ配信条件に従って自動表示されるコンテンツの目次情報から蓄積された詳細情報を任意に選択表示することを特徴とする請求項１に記載のコンテンツ配信装置。
【請求項３】
移動体へのコンテンツの配信条件は、該移動体の位置する場所、外部情報、現在時刻または表示予定時間のうちいずれかまたはこれらの組み合わせを属性として設定されることを特徴とする請求項１から請求項２のいずれかに記載のコンテンツ配信装置。
【請求項４】
移動体は、ＤＳＲＣ手段と該ＤＳＲＣ手段以外の別の情報通信手段とを有し、コンテンツの目次情報をＤＳＲＣ基地局が設置された地域の属性と、移動体または搭乗者のいずれかまたはこれらの組み合わせの属性に応じて編成し、該目次情報をＤＳＲＣ手段で自動受信し、該目次情報から選択表示される詳細情報を前記別の情報通信手段から受信することを特徴とする請求項１から請求項３のいずれかに記載のコンテンツ配信装置。
【発明の詳細な説明】
【技術分野】
【０００１】
本発明は、自動車等の移動体へデジタルコンテンツを配信するコンテンツ配信装置に関する。
【背景技術】
【０００２】
従来、移動体へのコンテンツ配信装置としては「狭域情報提供転送方法」（特許文献１）に、情報提供システムから端末装置へＤＳＲＣを活用して情報を配信する技術が開示されている。
【特許文献１】特開２００３−３１５０７０号公報
【発明の開示】
【発明が解決しようとする課題】
【０００３】
しかしながら、特許文献１に記載の技術によれば、端末装置への情報配信は、ひとつの情報提供システムから複数の端末装置へ同一の情報を均一に配信する。従って、端末装置の位置や時刻等、端末装置の置かれた状況、あるいは自動車の搭乗者や端末装置を持った人に対して、最適な情報を配信することができないという問題点がある。また、端末装置の側から情報提供システムに対して必要な情報だけをリクエストすることができるものの、配信された数多くの情報のなかから必要とする情報だけを選択するには多大な時間と努力を必要とするという問題点がある。
【０００４】
本発明は係る課題に鑑みてなされたもので、個々の移動体が個別に必要とするコンテンツだけを的確に情報伝達できるようにすることを目的とする。
【課題を解決するための手段】
【０００５】
上記目的を達成するため、請求項１に記載のコンテンツ配信装置は、複数のデジタルコンテンツ供給手段と、該デジタルコンテンツ供給手段から通信ネットワークを介して供給される多数のデジタルコンテンツを収集し蓄積する蓄積手段を有し、デジタルコンテンツを編成して配信する編成配信局と、該編成配信局と通信ネットワークを介して接続され、該編成配信局で編成して配信されるデジタルコンテンツを蓄積する蓄積手段を有し、複数設置されたＤＳＲＣ基地局と、位置情報取得手段を有し、該ＤＳＲＣ基地局と通信するＤＳＲＣ手段を有し、受信したデジタルコンテンツを蓄積する蓄積手段と該デジタルコンテンツを再生表示する再生表示手段とを搭載した移動体とからなり、前記ＤＳＲＣ基地局へのコンテンツ配信は、該ＤＳＲＣ基地局が設置された地域の属性に応じて夫々のＤＳＲＣ基地局ごとに別々に配信するとともに、前記移動体へのコンテンツ配信は、該移動体または搭乗者のいずれかまたはこれらの組合せの属性に応じたコンテンツ配信条件で配信することを特徴とする。
【０００６】
このように構成されたコンテンツ配信装置によれば、編成配信局は、多数のデジタルコンテンツのうちから個々のＤＳＲＣ基地局ごとに地域の属性に応じて別々に編成されたコンテンツだけを配信できるから、特定のＤＳＲＣ基地局近傍に接近した移動体には、その移動体が存在する地域に即した最適のコンテンツだけを受信することができる。また、ＤＳＲＣ基地局から個々の移動体へのコンテンツの配信は、該移動体や移動体搭乗者固有の属性に応じたコンテンツだけを配信するので、移動体が真に必要とするコンテンツを的確に得ることができる。ここでＤＳＲＣとは、Dedicated Short Range Communicationの略であり、「専用狭域通信」と訳される。ＩＴＳの世界では、この通信方式を用いて路側機（路側に設置された無線装置）と車載器（車両に搭載された無線装置）の間で無線通信を行う。現在、既にＥＴＣ（ノンストップ自動料金支払いシステム）が実用化されており、今後さらに様々なサービスが実現することが予想される。特に、ＩＴＳで活用されるＤＳＲＣでは他の多くの通信システムと異なり、自動車用道路とそこを通行する自動車との間に最適な通信システムとして実用化されるため、ＤＳＲＣ基地局は自動車が通常に通行する地域ごとに別々に多数設置されるという特性があり、自動車等の移動体が移動中に最も必要とするコンテンツは、ＤＳＲＣ基地局ごとに最適化され配信する必要がある。
【０００７】
請求項２に記載の本発明は、請求項１に記載のコンテンツ配信装置において、移動体は、再生表示手段により再生表示したコンテンツの表示画面から選択情報を入力する入力手段を有し、前記移動体のコンテンツ配信条件に従って表示されるコンテンツの目次情報から蓄積された詳細情報を任意に選択表示することを特徴とする。
【０００８】
このように構成されたコンテンツ配信装置によれば、多数のコンテンツの目次のなかから移動体の搭乗者が任意に必要な詳細情報だけを容易に選択して表示させることができる。
【０００９】
請求項３に記載の本発明は、請求項１または２に記載のコンテンツ配信装置において、移動体へのコンテンツの配信条件は、該移動体の位置する場所、外部情報、現在時刻または表示予定時間のうちいずれかまたはこれらの組み合わせを属性として設定されることを特徴とする。
【００１０】
このように構成されたコンテンツ配信装置によれば、個々の移動体へ配信されるコンテンツを移動体の位置する場所、周辺の気象環境などの外部情報、現在時刻の変化や予め設定される配信予定時間に応じて編成することができる。
【００１１】
請求項４に記載の本発明は、請求項１から３のいずれかに記載のコンテンツの配信装置において、移動体は、ＤＳＲＣ手段と該ＤＳＲＣ手段以外の別の情報通信手段とを有し、コンテンツの目次情報をＤＳＲＣ手段で受信し、該目次情報から選択表示される詳細情報を前記別の情報通信手段から受信することを特徴とする。
【００１２】
このように構成されたコンテンツ配信装置によれば、移動体がＤＳＲＣから目次情報を取得し、この目次情報から搭乗者が好みのコンテンツを選択することによって詳細情報をＤＳＲＣとは別の情報通信手段から取得できるので、移動体の走行中に必要最低限の目次情報だけを受け取り、この目次情報から必要とする詳細情報だけを任意の場所で別に受け取ることができる。
【発明の効果】
【００１３】
上述のように、本発明のコンテンツ配信装置は、編成配信局が多数のデジタルコンテンツのうちから個々のＤＳＲＣ基地局ごとに地域の属性に応じて別々に編成されたコンテンツだけを配信できるから、特定のＤＳＲＣ基地局近傍に接近した移動体は、その移動体が存在する地域に即した最適のコンテンツだけを受信することができる。また、ＤＳＲＣ基地局から個々の移動体へのコンテンツの配信は、該移動体固有の属性あるいは移動体搭乗者固有の属性に応じたコンテンツだけを配信するので、移動体の搭乗者が真に必要とするコンテンツだけを的確に得ることができる。
【００１４】
また、多数のコンテンツの目次のなかから移動体の搭乗者が任意に必要な詳細情報だけを容易に選択して表示させることができるから、配信局が編成したコンテンツの中から搭乗者が必要とするコンテンツだけを簡単に取り出して活用することができるとともに、個々の移動体へ配信されるコンテンツを移動体の位置する場所、周辺の気象環境などの外部情報および現在時刻の変化や予め設定される配信予定時間に応じて編成することができる。
【００１５】
また、移動体の走行中に必要最低限の目次情報だけを受け取り、この目次情報から搭乗者が必要とする詳細情報だけを選択してコンテンツを供給するサーバから任意に受け取ることができる。
【発明を実施するための最良の形態】
【００１６】
以下、本発明の実施の形態を示す実施例について図１〜図７に基づいて説明する。まず、図１は本発明を適用したコンテンツ配信装置の概略を示す概念図である。コンテンツ配信システムは、複数のコンテンツサーバ１００、編成配信局３００、複数のＤＳＲＣ基地局４００および複数の移動体５００から構成される。コンテンツサーバ１００は、インターネットやゲートウェイを介してインターネットに接続されるイントラネット等の通信ネットワーク２０１を介して編成配信局３００へ接続され、コンテンツの種類や運営会社等により、１０１〜１０４と複数存在し、編成配信局３００へ夫々異なったデジタルコンテンツを供給する。編成配信局３００、ＤＳＲＣ基地局４００および移動体５００は、いずれも内部にＣＰＵ、ＲＡＭ、ＲＯＭおよび入出力装置からなる周知のコンピュータシステムを構成している。
【００１７】
編成配信局３００は、前記コンテンツサーバ１００から供給された多数のデジタルコンテンツを収集して蓄積するデータベース３０２を有している。ＤＳＲＣ基地局４００は、４０１、４０４、４０７のように複数存在し道路の路側やパーキングエリア等、道路に沿って多数設置され、夫々ＤＳＲＣ通信用アンテナ４０３、４０６、４０９と前記編成配信局３００から配信されたデジタルコンテンツを蓄積するデータベース４０２、４０５、４０８を有し、インターネット等の通信ネットワーク２０２を介して編成配信局３００へ接続されている。
【００１８】
移動体５００は、５０１や５０５のように複数存在し、ＧＰＳ機能を有するカーナビゲーションシステムを搭載した自動車であり、夫々の目的に従って道路上を移動する。また、前記ＤＳＲＣ基地局４００とＤＳＲＣ通信するための端末５０２、５０６、通信用アンテナ５０４、５０８と、ＤＳＲＣ通信によって受信したデジタルコンテンツを蓄積するデータベース５０３、５０７を夫々有している。移動体５０１が道路に沿って移動し、ＤＳＲＣ基地局４０１の通信可能区域に入ると通信用アンテナ４０３と５０４との間で自動的にＤＳＲＣ通信が開始され、通信可能区域から出ると通信が終了するように構成されている。
【００１９】
図２に移動体５０１の概略を示す概念図を示す。移動体５０１の操作面には液晶表示素子等で構成されるディスプレイ５１０と、操作ボタン５１１が設置され、ディスプレイ５１０は表示画面の表示、図２ではコンテンツの目次５１３や操作アイコン５１４、５１５、５１６等を手で軽くタッチすることで選択入力できるようにタッチパネル等の入力手段となっている。また、移動体５０１は移動体の現在位置を検出するＧＰＳ機能を有し、ＧＰＳ用アンテナ５１２が前記ＤＳＲＣ通信用アンテナ５０４とは別に設けられ、カーナビゲーションシステムとなっている。ディスプレイ５１０は、該カーナビゲーションシステムの表示および入力操作用となっているとともに、前記ＤＳＲＣ通信を介して受信し、データベース５０３に蓄積した多数のデジタルコンテンツ群を再生表示する。また、ディスプレイ５１０のタッチパネル入力と操作ボタン５１１の操作による入力情報は、ＤＳＲＣ通信を介してＤＳＲＣ基地局４００および編成配信局３００へ移動体入力情報として伝達される。
【００２０】
図３に編成配信局３００で編成されるＤＳＲＣ基地局用のコンテンツの編成表を示す。
この基地局用編成表では、縦軸にＤＳＲＣ基地局ごとの基地局IDが順に並び、一方横軸には地域特性に応じて選択されるコンテンツの種別が表され、基地局IDごとに配信されるコンテンツが○印により表示されている。地域特性に対応したコンテンツとしては、例えば地域別施設利用情報、イベント情報、混雑や渋滞情報あるいは観光情報等がある。従って、この基地局編成表に応じて各ＤＳＲＣ基地局ごとに地域特性に応じたコンテンツが夫々配信される。
【００２１】
図４に編成配信局３００で編成される移動体用コンテンツの編成表を示す。この移動体用編成表では、縦軸に移動体ごとの移動体IDが順に並び、一方横軸には移動体固有の属性に応じたコンテンツの配信条件ごとに選択されるコンテンツの種別が表され、移動体IDごとに配信されるコンテンツが○印により表示されている。コンテンツの配信条件としては、移動体が位置する場所、その周辺の天気や気温等の気象環境、移動体が稼動している現在時刻あるいはコンテンツが予め想定している予定時間と、これらの組み合わせがある。従って、この移動体用編成表に応じて各移動体ごとに移動体固有の属性に応じたコンテンツが夫々配信される。
【００２２】
図５に移動体５０１のディスプレイ５１０に表示される画面遷移図を示す。上図は「コンテンツ１〜５」と表示された目次情報、「バナー１〜３」と表示されたバナー情報および「地点アイコン」、「音声アイコン」、「コンテンツ一覧」と表示されたアイコン情報が夫々表示されている。この表示画面から、「コンテンツ１」をタッチすると、下図に示すように「コンテンツ１」の「詳細情報」が表示される。バナー情報、アイコン情報ともにタッチ操作によって同じように夫々の詳細情報が次の画面として表示される。
【００２３】
編集配信局３００は、複数のコンテンツサーバ１００から様々な種類のデジタルコンテンツの供給を受け、各コンテンツの種類別にデータベース３０２へ蓄積すると共に、基地局編成表に基づいて各ＤＳＲＣ基地局４００ごとに地域特性に応じたコンテンツを配信する。各ＤＳＲＣ基地局４００は道路の路側に設置されるので、その地域に対応したコンテンツがＤＳＲＣ基地局４００のデータベース４０２、４０５、４０８に夫々蓄積される。ＤＳＲＣ基地局４０１の通信可能区域内へ移動体５０１が侵入すると、通信用アンテナ４０３と５０４との間で自動的にＤＳＲＣ通信が開始され、ＤＳＲＣ基地局４０１のデータベース４０２に蓄積されたコンテンツは、移動体５０１が受信してデータベース５０３へ一旦蓄積される。移動体５０１がカーナビゲーションシステムであると、自動車が一旦停止する状態になった時点で、データベース５０３に蓄積されたコンテンツの目次情報をディスプレイ５１０に表示し、ドライバーはこのディスプレイ５１０に表示された目次情報からデータベース５０３に蓄積されたコンテンツの全体をアテンション情報として認識し、全体のコンテンツ群の中から必要に応じて選択し、「コンテンツ１」表示にタッチすると、「コンテンツ１」に詳細情報がデータベース５０３から呼び出されて即座に表示する。
また、自動車が一旦停止しない状況を想定してデータベース５０３に蓄積されるコンテンツの中に、音声ガイダンスによる目次情報を含めておけば、自動車の運転者は運転しながら音声ガイダンスを聞き、この音声ガイダンスをアテンション情報とすることができる。
【００２４】
このように構成されたコンテンツ配信装置によれば、編集配信局３００がコンテンツサーバ１００から収集しデータベース３０２に蓄積した多数のデジタルコンテンツ群のうちから個々のＤＳＲＣ基地局４００ごとに地域の属性に応じて別々に編成されたコンテンツだけを配信できるから、特定のＤＳＲＣ基地局４０１の近傍の接近した移動体５０１は、その移動体５０１が存在する地域に即した最適のコンテンツだけを受信し、表示するこができる。また、ＤＳＲＣ基地局４０１から個々の移動体端末５０１へのコンテンツ配信は、移動体端末５０１の固有の属性に応じたコンテンツだけを配信するので、移動体５０１が真に必要とするコンテンツだけを的確に得ることができる。
【００２５】
また、ＤＳＲＣ基地局４０１から配信された多数のコンテンツの目次のなかから移動体５０１の搭乗者が任意に必要な詳細情報だけを容易に選択してディスプレイ５１０に表示できるから、編集配信局３００が編成したコンテンツの中から操作者が必要とするコンテンツだけを簡単に取り出して活用することができる。さらに、個々の移動体５０１へ配信されるコンテンツを移動体５０１の位置する場所、周辺の気象環境および現在時刻の変化や予め設定される配信予定時間に応じて配信できるから、移動体５０１が受信し表示するコンテンツが最適化される。
【００２６】
図６は、本発明を高速道路で実施した例を示し、自動車６００が高速道路６０１からパーキングエリア（ＰＡ）６０３に駐車して休憩した後、スマートＩＣ６０４を経て、一般道路６０５を通りある地点６１３や地域イベント等が開催されている道の駅６０６へ移動する場合の経路を矢印で順に表している。まず、自動車６００が高速道路６０１の路側に設置された第一のＤＳＲＣ基地局６０７の近傍を通過すると、自動車６００に搭載された端末がコンテンツを配信条件に応じて自動受信し、受信したコンテンツは、この先のＰＡ６０３にスマートＩＣ６０４があることを告知するとともに、ＰＡ６０３の駐車場で情報接続サービスを実施中であることを告知する。この告知に反応して自動車６００が第二のＤＳＲＣ基地局６０８の近傍を通過すると、コンテンツとしてスマートＩＣ６０４への導入路であることと、ＰＡ６０３の駐車場で情報接続サービス実施中を告知する。
【００２７】
続いて自動車６００が誘導路に設置された第三のＤＳＲＣ基地局６０９および第四のＤＳＲＣ基地局６１０の近傍を通過すると、スマートＩＣ６０４の利用方法が音声ガイドで流れるとともに、引き続きＰＡ６０３で現在提供している情報サービスと、推奨される情報サービスの概要を音声で紹介する。また、自動車６００が駐車した状態で表示するための目次情報を受信し、これは後に備えて蓄積される。
【００２８】
自動車６００がＰＡ６０３の駐車マスへ停車したタイミングで、前記第四のＤＳＲＣ基地局で受信し、蓄積された目次情報が端末で表示され、自動車６００の搭乗者は、この目次情報から関心事で必要とする情報の詳細内容を選択すると、第五のＤＳＲＣ基地局６１１から情報サービスとして動画、静止画、音声、クーポンデータ、経路誘導データ等がダウンロードされ、蓄積されるとともに表示が開始される。
【００２９】
自動車６００は、前記ＰＡ６０３の情報サービスで誘引され、スマートＩＣ６０４を通過すると、第六のＤＳＲＣ基地局６１２から、スマートＩＣ６０４を出た後の主要な周辺地域情報、立ち寄り推奨情報、次のＤＳＲＣ接続ポイント情報等を、端末の画面を非表示のまま、自動的に蓄積するとともに、その概要を音声案内として紹介する。自動車６００が例えば道の駅６０６等で停車したタイミングで、蓄積されたコンテンツを自動再生させることができる。
【００３０】
以上のように、コンテンツの配信条件によって、自動車６００が走行中であれば安全を確保するために画面表示をせずに音声情報を流すとともに、次に停車するタイミングで自動的に表示、再生させるための情報を蓄積させ、自動車６００が停車あるいは駐車した状態で蓄積されたコンテンツを自動再生させたり、予め目次情報だけを表示させて、情報本体は自動車６００の搭乗者が選んだものだけを蓄積された情報の中から再生表示することができる。
【００３１】
図７は、移動体の別の実施例を示すもので、移動体７０１の概略を示す概念図を示す。移動体７０１の操作面にはLED素子等で構成されるディスプレイ７１０と、操作ボタン７１１が設置され、ディスプレイ７１０は表示画面の表示、図７ではコンテンツの目次７１３や操作アイコン７１４、７１５、７１６等を手で軽くタッチすることで選択入力できるようにタッチパネルとなっている。また、移動体７０１は移動体の現在位置を検出するＧＰＳ機能を有し、ＧＰＳ用アンテナ７１２が前記ＤＳＲＣ通信用アンテナ７０４とは別に設けられ、カーナビゲーションシステムとなっている。ディスプレイ７１０は、該カーナビゲーションシステムの表示および入力操作用となっているとともに、前記ＤＳＲＣ通信を介して受信し、データベース７０３に蓄積した多数のデジタルコンテンツ群を再生表示する。また、ディスプレイ７１０のタッチパネル入力と操作ボタン７１１の操作による入力情報は、ＤＳＲＣ通信を介してＤＳＲＣ基地局および編成配信局へ移動体入力情報として伝達される。７１７は無線ＬＡＮ用のアンテナで、移動体７０１は、この無線ＬＡＮアンテナ７１７を介して無線ＬＡＮ基地局と通信できるように構成される。
【００３２】
移動体７０１は、前記図６の説明で道の駅６０６に無線ＬＡＮ基地局が設置されていると、無線ＬＡＮアンテナ７１７と無線ＬＡＮ通信機能によって、通常の無線ＬＡＮ接続でインターネット等が利用できる。ＤＳＲＣ基地局で目次情報だけを受信し、この目次情報から必要な情報を選択し、無線ＬＡＮ接続で情報の本体をダウンロードすることができる。
【００３３】
以上、本発明の実施の形態を説明してきたが、本発明はこれに限定されるものではなく、本発明の要旨を変更しない限り、様々な態様で実施し得るものである。
【図面の簡単な説明】
【００３４】
【図１】本発明を適用したコンテンツ配信装置の概要説明図である。
【図２】移動体５０１の概略を示す概念図である。
【図３】編成配信局３００で編成されるＤＳＲＣ基地局用のコンテンツ編成表である。
【図４】編成配信局３００で編成される移動体用コンテンツ編成表である。
【図５】移動体５０１のディスプレイ５１０に表示される画面遷移図である。
【図６】本発明を高速道路で実施した場合の概要説明図である。
【図７】移動体７０１の概略を示す概念図である。
【符号の説明】
【００３５】
１００    コンテンツサーバ
３００    編成配信局
４００    ＤＳＲＣ基地局
５００    移動体
【図１】
2006318149.tif 000003
【図２】
2006318149.tif 000004
【図３】
2006318149.tif 000005
【図４】
2006318149.tif 000006
【図５】
2006318149.tif 000007
【図６】
2006318149.tif 000008
【図７】
2006318149.tif 000009